(57)【特許請求の範囲】
【請求項１】
種子付マルチング材の製造方法において、
マルチング材に付着される異種の種子を用意する種子用意段階と、
マルチング材に異種の種子が付着される領域を設定する領域設定段階と、
マルチング材に設定された領域に応じて、付着される種子を指定する種子指定段階と、
マルチング材に設定された領域と該領域に応じて付着される種子とを指定して作成されたファイルを、開閉弁の設けられた複数のホッパーと制御部とを含む種子付着装置における開閉弁の動作とホッパーの位置移動を制御する前記制御部に入力する種子入力段階と、
設定された領域に付着される種子を種子供給用ホッパーに投入する種子供給段階と、
ホッパーに格納されている異種の種子を領域別に付着する種子付着段階と、
種子の付着が完了したマルチング材を包装する包装段階と、
を含むことを特徴とする、異種の植物種子が付着する種子付マルチング材の製造方法。
【発明の詳細な説明】
【技術分野】
【０００１】
本発明は、異種の植物種子を１つのマルチング材に付着して供給する技術、及び、異種の植物種子が付着するマルチング材により播種された植物が生長する際にその生長領域において所定の模様が形成される種子付マルチング材の製造方法、並びに、その種子付マルチング材に関するものであって、より詳細には、１つ以上の異種の植物種子をマルチング材に付着して植物栽培地に播種することができ、また、種子を付着するマルチング材に所定の模様にて播種領域を指定し、夫々の播種領域に異種の種子を付着し、該播種領域に付着された異種の植物種子が栽培地で発芽・生長することにより、植物の種類に応じて異なる模様が視覚的に認識できる、異種の植物種子が付着する種子付マルチング材の製造方法及びその種子付マルチング材に関するものである。
【背景技術】
【０００２】
植物種子を供給・播種するにおいて、通常の種屋や種子売場では、図１に示すように、少なくとも１つの種子をその種類別に夫々の袋に入れて種子セットとしてユーザーに供給したり、少なくとも１つの種子を混ぜて１つの袋に入れてユーザーに供給したりしており、種子を供給された者は袋中の種子を引き出して植物栽培地で播種する、異種の種子の供給・播種技術が周知されている。
【０００３】
しかし、前述の播種技術については、異種の種子をセットとして供給するとはいえ、植物栽培地の指定された領域において、異種の種子が播種され、更に植物が生長するに応じて、所定の模様を形成するように播種することが難しくなり、種子を細かい手作業で播種しなければならないため、播種に手間暇がかかる問題があった。
【０００４】
また、植物種子の発芽を容易にするために、地面の温度を所定値以上に維持し、更に、雑草の茂ることを抑止し、また、播種作業を簡略化するために、マルチング材に種子を付着して播種する技術が知られている。
【０００５】
このように播種に関連する従来技術としては、韓国登録実用新案第20-0403118号（2005.12.08公告）において種子が付着する直播用マルチング材が公知されており、これは、図２に示すように、天然綿を所定の厚さで形成し、その上部に膠や澱粉、酵素材を積層して形成したマルチングフィルム100に、播種される作物の特性に応じて所定の間隔で微細孔200を形成し、そこに種子300を天然の接着剤にて付着したうえ、土に直接に布設する技術であって、該従来技術は、単に、マルチングフィルムに種子を付着したうえで土に布設するだけで、種子が付着する領域を区分して種子を付着する技術でなく、生育する植物の種類に応じて模様を形成することはできない。
【０００６】
また、生育する植物を用いて広告効果をもたらす従来技術としては、韓国特許公報第10-0511453号（2005.08.31公告）が公知されており、該従来技術は、図３に示すように、田んぼ400で稲500を植える際に、数字や文字、形状の部分に稲を植えないことにより、表示しようとする数字や文字、形状の表示スペース600を形成したり、田んぼ400に形成された数字や文字、形状の表示スペース700のみに麦を植えて発芽させたうえで稲を収穫することにより、数字や文字、形状を形成したりする、田んぼでの広告方法である。このように、従来技術は、田んぼの指定されたスペースのみに稲または麦を播種する技術であるだけで、マルチング材に種子を付着して該マルチング材を地面に直播することにより、播種作業を簡略化し、付着した種子が発芽・生育する植物の種類に応じて様々な模様を形成する技術ではない。
【０００７】
また、生育する植物により模様を形成する従来技術として、韓国特許公報第10-0963693号（2010.06.16公告）が公知されており、これは、図４に示すように、田んぼ800において広告・弘報コピーの図案を予め設計したスペースに有色稲900と緑色稲1000を植える広告・弘報用の田んぼ植物栽培方法である。よって、該従来技術は、単に、所定の設計されたスペースに異種の植物の種子を播種して所定のイメージを弘報する技術であるだけで、マルチング材に種子を付着して該マルチング材を地面に直播することにより、播種作業を簡略化し、マルチング材に付着した種子が発芽・生育する植物の種類に応じて様々な模様を形成する技術ではない。
【発明の概要】
【発明が解決しようとする課題】
【０００８】
本発明は、前述の従来技術においては実現されない、異種の植物種子が付着する種子付マルチング材の製造方法及びその種子付マルチング材を提供するためのものであって、種子を付着するマルチング材に、種子が播種される播種領域を設定し、設定された領域別に異なる種子を付着し、該種子付マルチング材を用いて植物栽培地に播種することにより、設定された領域別に異種の植物を生育させることができ、また、播種された植物が各領域別に発芽・生長することにより、種類の相違する植物に応じて異なる模様が視覚的に認識できる、種子付マルチング材の製造方法及びその種子付マルチング材を提供する。
【課題を解決するための手段】
【０００９】
上記のような課題を解決するために、本発明による、異種の植物種子が付着する種子付マルチング材の製造方法は、マルチング材に付着される異種の種子を用意する種子用意段階20と、マルチング材に異種の種子が付着される領域を設定する領域設定段階30と、マルチング材に設定された領域に応じて付着される種子を指定する種子指定段階40と、マルチング材に設定された領域と該領域に応じて付着される種子とを指定して作成されたファイルを、開閉弁の設けられた複数のホッパーと制御部とを含む種子付着装置における開閉弁の動作とホッパーの位置移動を制御する前記制御部に入力する種子入力段階50と、設定された領域に付着される種子を種子供給用ホッパーに投入する種子供給段階60と、ホッパーに格納されている異種の種子を領域別に付着する種子付着段階70と、種子の付着が完了したマルチング材を包装する包装段階80と、含む。
【００１０】
また、本発明による種子付マルチング材については、天然マルチング材または生分解性フィルムマルチング材が用いられ、種子の付着する領域が設定され、設定された各領域において異種の種子が所定間隔を置いて付着され、種子の付着されたマルチング材がロール状または折畳式で形成されることにより、植物栽培地に布設して播種することが容易である、異種の植物種子が付着する種子付マルチング材が提供される。
【００１１】
また、本発明による前記種子付マルチング材については、種子付着装置により種子が付着されており、前記種子付着装置は、開閉弁の設けられた複数のホッパーが横軸に装着され、前記横軸は複数の縦軸と接続し、前記ホッパーの下部にマルチング材の置かれるマルチング材載置台が設けられ、前記開閉弁の動作とホッパーの移動位置を制御する制御部を含むものである、異種の植物種子が付着する種子付マルチング材が提供される。
【発明の効果】
【００１２】
本発明は、異種の種子をマルチング材に付着してセットとして供給することにより、植物の栽培地において設定された領域に異種の種子を容易く播種し、指定されたスペースにおいて異種の植物を効率的に栽培することができる効果がある。
【００１３】
また、本発明は、植物の栽培地において模様を形成する、種子の付着した種子付マルチング材を提供することにより、種子付マルチング材を植物の栽培地に布設すると、植物が生長するにつれて模様を形成するため、植物の栽培者が意図する弘報効果が効率的に得られる効果がある。
【００１４】
また、本発明は、植物が生長するにつれて模様が形成される種子付マルチング材を植物の栽培地に布設するだけで、植物が生長するにつれて模様を形成することができるため、植物の栽培地に直接表現しようとする模様を設計または絵描きすることなく、求められる模様を容易く正確・迅速に形成できる播種作業が可能になる効果がある。
【００１５】
また、本発明は、植物が生長するにつれてその栽培地に様々な模様を形成することができるため、複雑な形状を有するものについてその形状を弘報することが可能になり、更に、様々な色彩を組み合わせることにより美しさを表せる効果がある。
【図面の簡単な説明】
【００１６】
【図１】従来技術による種子セットの供給様態を示した図面である。
【図２】従来技術による種子付マルチング材を図示した図面である。
【図３】従来技術による、植物栽培地における模様の形成様態を図示した面図である。
【図４】従来技術による、植物栽培地における模様の形成様態を図示した面図である。
【図５】本発明に係る、異種の植物種子が付着する種子付マルチング材の製造方法を示したブロック図である。
【図６】本発明に係る、異種の植物種子が付着する種子付マルチング材の製造方法、及びその種子付マルチング材に関する種子付着装置を概念的に図示した図面である。
【図７】本発明に係る、異種の植物種子が付着する種子付マルチング材を概念的に図示した図面である。
【発明を実施するための形態】
【００１７】
以下に、添付の図面を参照して本発明を詳細に説明する。
【００１８】
本発明に係る、異種の植物種子が付着する種子付マルチング材の製造方法は、図５に示すように、マルチング材に付着される異種の種子を用意する種子用意段階20と、マルチング材に異種の種子が付着される領域を設定する領域設定段階30と、マルチング材に設定された領域に応じて付着される種子を指定する種子指定段階40と、マルチング材に設定された領域と該領域に応じて付着される種子とを指定して作成されたファイルを、開閉弁の設けられた複数のホッパーと制御部とを含む種子付着装置における開閉弁の動作とホッパーの位置移動を制御する上記制御部に入力する種子入力段階50と、設定された領域に付着される種子を種子供給用ホッパーに投入する種子供給段階60と、ホッパーに格納されている異種の種子を領域別に付着する種子付着段階70と、種子の付着が完了したマルチング材を包装するマルチング材包装段階80と、含む。
【００１９】
上記種子用意段階20は、マルチング材に付着されて植物栽培地で栽培される種子の種類を選択して用意する段階であって、ユーザーが任意で選択するか、指定された植物の種類を選択して用意する。
【００２０】
上記領域設定段階30は、CADやイラストレーター等の図案作成ソフトウェアを用いて、ユーザーの求める模様を、所定の領域や、線、点にて区切ったり繋げたりすることにより、作成する。例えば、模様を所定の領域として作成する場合には、図５に示すように、種子が播種・生育されるに伴い、文字や絵等の図案が領域により区切られる。
【００２１】
上記種子指定段階40は、領域設定段階30において設定された領域に対し、各領域別に付着される種子を指定する段階であって、領域別に色または記号により区切ったうえ、色別にマルチング材に付着される種子を指定することが好ましい。
【００２２】
上記種子入力段階50は、種子指定段階40において領域別に種子を指定して作成されたファイルを、種子付着装置Aを制御する制御部10に入力する段階である。例えば、形成された図案ファイルをコンピュータの種子付着装置の制御部10に入力し、制御部10で設定された領域を読んで種子付着装置Aを制御することにより、領域に応じて指定された種子をマルチング材1に付着する作業が行われる。
【００２３】
上記種子供給段階60は、種子用意段階において用意された種子がマルチング材1に設定された領域別に付着されるように、種子付着装置Aに設けられる種子格納用ホッパー2に入れて格納する段階であって、少なくとも１つのホッパー2に互いに異なる種類の種子を入れて、マルチング材1へ供給する。
【００２４】
上記種子付着段階70は、マルチング材に指定された領域別に種子を付着する段階であって、ホッパーに格納された種子に対して、指定された領域別に付着が行われるように、ホッパー2に設けられる種子開閉弁を制御部10にて制御することにより、各領域へ指定された種子が供給されて付着される。また、種子の付着位置については、ユーザーが種子の種類を考慮したうえで所定の間隔を置いて付着されるように、その付着位置を選択し、種子付着装置Aの駆動が自動的に制御されるようにする。
【００２５】
上記マルチング材包装段階80では、異種の種子が付着されたマルチング材を、植物栽培地において機械作業や手作業で播種が容易になるように、ロール状または折畳式に形成して包装する。
【００２６】
上記種子付着装置Aは、図６に示すように、開閉弁の設けられた複数のホッパー2が横軸8に装着され、該横軸8が複数の縦軸9に接続され、ホッパー2の下部に、マルチング材1の置かれるマルチング材載置台Bが設けられ、上記開閉弁の動作やホッパー2の移動位置を制御する制御部10を含む。
【００２７】
上記種子付着装置Aによりマルチング材1に種子を付着する作業を、例を挙げて説明すると、図６や図７に示すように、所定の長さを有するマルチング材1に種子が付着される領域を５つの領域に区切り、各領域に互いに異なる種子を付着する場合、第１の領域3には第１の種子3aが付着されるように、制御部10により第１のホッパー2aの開閉弁が所定の間隔で開閉される。
【００２８】
開閉弁の開閉により、第１のホッパー2aに格納された第１の種子3aが第１の領域3へ供給されると、ホッパー2を、第１の領域3の範囲内において所定の速度で、横軸8と縦軸9を介してマルチング材1の左側から右側へ（または、右側から左側へ）、前方から後方へ（または、後方から前方へ）移送させ、マルチング材の第１の領域3に第１の種子3aが所定の間隔を置いて付着される。
【００２９】
ここで、マルチング材1に種子を付着する技術は、当技術分野における通常の知識を有する者なら、誰でも実施できる周知の技術を利用するものであるため、その具体的な構成に関する説明については省略する。
【００３０】
次に、第２の領域4に第２の種子4aが付着されるように、制御部10により第２のホッパー2bの開閉弁が所定の間隔で開閉される。開閉弁の開閉により、第２のホッパー2bに格納された第２の種子4aが第２の領域4へ供給されると、ホッパー2を、第２の領域4の範囲内において所定の速度で横軸8と縦軸9を介して、マルチング材1の左側から右側へ（または、右側から左側へ）、前方から後方へ（または、後方から前方へ）移送させ、マルチング材の第２の領域4に第２の種子4aが所定の間隔を置いて付着される。
【００３１】
次に、第３の領域5に第３の種子5aが付着されるように、制御部10により第３のホッパー2cの開閉弁が所定の間隔で開閉される。開閉弁の開閉により、第３のホッパー2cに格納された第３の種子5aが第３の領域5へ供給されると、ホッパー2を、第３の領域5の範囲内において所定の速度で横軸8と縦軸9を介して、マルチング材1の左側から右側へ（または、右側から左側へ）、前方から後方へ（または、後方から前方へ）移送させ、マルチング材の第３の領域5に第３の種子5aが所定の間隔を置いて付着される。
【００３２】
次に、第４の領域6に第４の種子6aが付着されるように、制御部10により第４のホッパー2dの開閉弁が所定の間隔で開閉される。開閉弁の開閉により、第４のホッパー2dに格納された第４の種子6aが第４の領域6へ供給されると、ホッパー2を、第４の領域6の範囲内において所定の速度で横軸8と縦軸9を介して、マルチング材1の左側から右側へ（または、右側から左側へ）、前方から後方へ（または、後方から前方へ）移送させ、マルチング材の第４の領域6に第４の種子6aが所定の間隔を置いて付着される。
【００３３】
次に、第５の領域7に第５の種子7aが付着されるように、制御部10により第５のホッパー2eの開閉弁が所定の間隔で開閉される。開閉弁の開閉により、第５のホッパー2eに格納された第５の種子7aが第５の領域7へ供給されると、ホッパー2を、第５の領域7の範囲内において所定の速度で横軸8と縦軸9を介して、マルチング材1の左側から右側へ（または、右側から左側へ）、前方から後方へ（または、後方から前方へ）移送させ、マルチング材の第５の領域7に第５の種子7aが所定の間隔を置いて付着される。
【００３４】
このようにマルチング材1に設定された第１の領域乃至第５の領域の種子付着領域にすべての種子が付着されると、種子付着装置を元の位置に戻して他の作業に使うことができる。
【００３５】
上記の実施例においては、上記制御部10について、ホッパー2に設けられる種子開閉弁の開閉が個別に制御されるように説明したが、これに限らず、当然、設定される領域や種子の付着状態によっては複数の開閉弁を作動させることもできる。
【００３６】
また、本発明に係る種子付マルチング材は、誰でも制限なく使える天然マルチング材や生分解性フィルムマルチング材を用いることができ、マルチング材に種子が付着する領域を設定し、設定された各領域において互いに異なる種子を所定の間隔を置いて付着し、種子が付着されたマルチング材をロール状または折畳式で形成することにより、植物栽培地に布設して播種する作業が容易になる。
【００３７】
上記種子付マルチング材は、図６に示すように、付着される種子を、所定の模様を有する設定領域に付着することができるが、図７に示すように、所定の長さを有するマルチング材において、種子が付着される領域を長手方向に区切って設定することもできる。
【００３８】
なお、第１の領域3には第１の種子3aであるマツバボタンの種を、第２の領域4には第２の種子4aであるホウセンカの種を、第３の領域5には第３の種子5aであるオシロイバナの種を、第４の領域6には第４の種子6aであるケイトウの種を、第５の領域7には第５の種子7aであるヒマワリの種を、所定の間隔を置いて付着することができ、該マルチング材をロール状で巻くことにより、又は、該マルチング材の領域区分線の部位を折り畳むことにより、種子付マルチング材を形成する。
【図１】
0006266778.tif 000002
【図２】
0006266778.tif 000003
【図３】
0006266778.tif 000004
【図４】
0006266778.tif 000005
【図５】
0006266778.tif 000006
【図６】
0006266778.tif 000007
【図７】
0006266778.tif 000008